(57)【要約】 【課題】ペットボトルの総重量が保持孔を拡開する方向には作用せず、ペットボトルの自然脱落を防ぐことができ、ペットボトルの挿脱操作も大きな力を加えずに無理なく行うことができる、ペットボトル吊下げ用ホルダを提供する。  【解決手段】ホルダ本体1を、柔軟で緩衝性に富み適度の厚みを有する合成樹脂製板材によって形成する。保持孔2は、ホルダ本体の板面にペットボトルの頭部の径よりも小さく頸部の径とほぼ同じ程度の径に形成してある。ホルダ本体に保持された複数のペットボトルの全体を外側から固定する固定リング5を備える。ホルダ本体の上記緩衝性とそれに伴う復元力によって、ペットボトル頭部の通過前後に保持孔が拡開とほぼ元の径への復元とを行う。【選択図】    図１       
2005289474.tif 000002
【特許請求の範囲】
【請求項１】
ペットボトルの頸部を保持する複数個の保持孔を有する板状のホルダ本体に吊下げ部材を取付けて成るペットボトルの吊下げ用ホルダにおいて、
上記ホルダ本体は、柔軟で緩衝性に富み適度の厚みを有する合成樹脂製板材によって形成され、
上記保持孔は、ホルダ本体の板面にペットボトルの頭部の径よりも小さく頸部の径とほぼ同じ程度の径に形成され、
ホルダ本体の上記緩衝性とそれに伴う復元力によって、ペットボトル頭部の通過前後に保持孔が拡開とほぼ元の径への復元とを行う、
ことを特徴とするペットボトル吊下げ用ホルダ。
【請求項２】
ペットボトルの頸部を保持する複数個の保持孔を有する板状のホルダ本体に吊り下げ部材を取付けて成るペットボトルの吊下げ用ホルダにおいて、
上記ホルダ本体と、上記吊下げ部材と、ホルダ本体に保持された複数のペットボトルの全体を外側から固定する固定リングとを備え、
ホルダ本体は、柔軟で緩衝性に富み適度の厚みを有する合成樹脂製板材によって形成され、
保持孔は、ホルダ本体の板面にペットボトルの頭部の径よりも僅かに小さく頸部の径とほぼ同じかそれよりも若干小さめの径に形成され、
上記固定リングは、内周面にホルダ本体に保持された複数のペットボトル全体の外径よりも僅かに小さい径でペットボトルの外方表面に当接される当接部を有し、
ホルダ本体の上記緩衝性とそれに伴う復元力によって、ペットボトル頭部の通過前後に保持孔が拡開とほぼ元の径への復元とを行う、
ことを特徴とするペットボトル吊下げ用ホルダ
【請求項３】
前記ホルダ本体が、発泡ポリエチレンによって形成されている、
請求項１もしくは２記載のペットボトル吊下げ用ホルダ。
【請求項４】
前記固定リングが、ホルダ本体と同じ素材によって形成されている、
請求項２記載のペットボトル吊下げ用ホルダ。
【請求項５】
前記複数の保持孔のうち、ホルダ本体の外周端に近接した保持孔が、ペットボトルをボトル本体外周面がホルダ本体の外周端面よりも外方にわずかに突出させた状態で保持する位置に形成され、
前記固定リングは、ホルダ本体と同じ素材によって形成され、ホルダ本体の外周径と同じ径の内周を持つ、
請求項２から４のいずれかに記載のペットボトル吊下げ用ホルダ。
【請求項６】
前記ホルダ本体と固定リングが一枚の合成樹脂製板材から打ち抜き形成され、
固定リングは、ホルダ本体の外周に沿って合成樹脂製板材から打ち抜き形成されたものである、
請求項４記載のペットボトル吊下げ用ホルダ。
【請求項７】
前記吊下げ部材は、ホルダ本体の適宜位置に形成した対向する２つのスリットに帯紐部材を挿通し、両端部をホルダ本体の上面情報にて固着して成る、
y  請求項１もしくは２記載のペットボトル吊下げ用ホルダ。
【請求項８】
前記固定リングが径方向に伸縮可能なバンド部材から成る、
請求項２記載のペットボトル吊下げ用ホルダ。
【発明の詳細な説明】
【技術分野】
【０００１】
本発明は、ペットボトルを数本まとめて運搬する際に使用されるホルダに関するものである。
【背景技術】
【０００２】
消費者がコンビニなどで購入した各種の飲料水あるいは食用油や醤油などの調味料を容れたペットボトル（ポリエチレンテレフタレート（polyethylene terephthalate ）製透明容器）は、一般には他の購入商品とともにビニル袋に入れて運搬される。しかし、こうした運搬手段では、ビニル袋内の他の商品を傷つけたりすることがあるため、ペットボトル数本をまとめて運搬する専用の保持具が特開平８−３０１７５５号に提案されている。
【０００３】
この公報（特許文献１）記載の保持具は、薄板状の本体部にペットボトルの頸部とほぼ等しい径の孔を形成し、この孔に放射状の切込みを設ける一方、保持部間に手提げハンドルを取付けて成る。
頭部を本体部の下方から孔部内に挿込まれたペットボトルは、切込みによって片状に形成された保持部を押し上げつつ頭部が孔上方に抜け、頸部の鍔部が保持部に支承されて抜止めされる。
【０００４】
【特許文献１】特開平８−３０１７５５号（第２頁、図１）
【発明の開示】
【発明が解決しようとする課題】
【０００５】
上記保持具は、ペットボトル頭部を孔に挿着するときと抜くときに保持部が上下に撓んで孔の径を拡げ、頸部を受け入れたときもしくは頭部が離脱したときに孔の本来の径（頸部とほぼ同じ径）の位置に復帰する。
【０００６】
したがって、この保持具は、運搬時にペットボトルと内部液体の総重量及び運搬時の手振り運動による負荷がかかっても保持部が下方に撓むことはなく、それでいてペットボトルの挿着時と引き抜き時には保持部が上方もしくは下方に撓むものでなければならない。しかしながら、運搬時におけるペットボトルの自然離脱を防止するために撓み性の小さな保持部を形成すると、挿着及び引き抜きに大きな力が必要となる。逆に撓み性の大きな保持部を形成して挿着と引き抜きを小さな力で無理なく行えるようにしようとすると、運搬時に自然脱落する危険がある。
いずれにしろ、上記保持具は、運搬時に常にペットボトル総重量が保持部を撓ませて孔を拡開する方向に作用することになる。
【０００７】
また、この保持具は、ペットボトル頸部の鍔部を薄板の保持部が支承し、薄板状本体部の中央を手提げハンドルによって吊り下げる構造であるため、ペットボトルの下部、特に内容量の大きなペットボトルの下部が互いに離れる傾向にある。特に運搬時に手を振って歩行すると、その傾向が著しく、保持部全体でなく一部の保持部にのみ重量等の負荷がかかり、安定しない。
【０００８】
本発明の目的は、ペットボトルを保持させたときにペットボトルの総重量が保持孔を拡開する方向には作用せず、ペットボトルの自然脱落を防ぐことができ、かつペットボトルの挿脱操作も大きな力を加えずに無理なく行うことができる、ペットボトル吊下げ用ホルダを提供することにある。
【０００９】
また、本発明の別の目的は、保持された複数のペットボトルの下部が互いに離れるなどして不安定になることがなく、複数のペットボトルをまとまった状態で安定して保持する、ペットボトル吊下げ用ホルダを提供することにある。
【課題を解決するための手段】
【００１０】
本発明は、上記目的を達成するために次の構成を備える点に特徴がある。
すなわち、本発明に係るホルダは、ペットボトルの頸部を保持する複数個の保持孔を有する板状のホルダ本体に吊下げ部材を取付けて成るペットボトルの吊下げ用ホルダを改良したものである。ホルダ本体は、柔軟で緩衝性に富み適度の厚みを有する合成樹脂製板材によって形成されている。また保持孔は、ホルダ本体の板面にペットボトルの頭部の径よりも小さく頸部の径とほぼ同じ程度の径に形成されている。そして、ホルダ本体の上記緩衝性とそれに伴う復元力によって、ペットボトル頭部の通過前後に保持孔が拡開とほぼ元の径への復元とを行う、
【００１１】
また、請求項２に係る発明は、上記構成に加えてホルダ本体に保持された複数のペットボトルの全体を外側から固定する固定リングを備える。
固定リングは、内周面にホルダ本体に保持された複数のペットボトル全体の外径よりも僅かに小さい径でペットボトルの外方表面に当接される当接部を有する。
【００１２】
ホルダ本体の素材としては、例えば発泡ポリエチレンやゴムスポンジ、軟質ウレタンなどが選択される。ホルダ本体は、保持孔の縁部がペットボトルの頸部におさまってペットボトル頭部下端あるいは鍔部をしっかりと支持する程度の厚み、例えば５〜８ｍｍ程度の厚みを有する。
【００１３】
固定リングは、ホルダ本体と同じ素材によって形成するのが望ましい。
ホルダ本体と固定リングを一枚の合成樹脂製板材から打ち抜き形成することもできる。この場合、固定リングは、ホルダ本体の外周に沿って合成樹脂製板材から打ち抜き形成される。
固定リングは、ホルダ本体とは別素材によって形成された伸縮自在なバンド部材であっても良い。
【００１４】
固定リングの径は、ホルダ本体に形成される保持孔の位置に左右される。複数の保持孔のうち、ホルダ本体の外周端に近接した保持孔が、例えばペットボトルをボトル本体外周面がホルダ本体の外周端面よりも外方にわずかに突出させた状態で保持する位置に形成される場合、固定リングは、ホルダ本体の外周径と同じ径の内周を持つ。
【００１５】
吊下げ部材は、材量や形態など別段制限されるものではない。ホルダ本体の適宜位置に形成した対向する２つのスリットに帯紐部材を挿通し、両端部をホルダ本体の上面上方にて固着したものを採用することもできる。
【発明の効果】
【００１６】
本発明によれば、次の効果を奏する。
ホルダ本体を、柔軟で緩衝性に富み適度の厚みのある合成樹脂製板材によって形成し、ペットボトルの頭部の径よりも小さく頸部の径とほぼ同じ程度の径に形成された保持孔を上下方向でなく径方向に拡開、復元させてペットボトルの頸部を保持するので、ペットボトルの総重量が保持孔を開く方向に作用することはなく、運搬時におけるペットボトルの自然脱落を防ぐことができる。
また、ペットボトルの挿脱操作も保持孔を径方向に押し広げることによって簡単に行うことができる。
更に、ホルダ本体を上記素材によって形成したので、比重が小さく水に浮くことができ、ペットボトルを水中に入れて冷やすのに好適である。
【００１７】
また、請求項２に係る発明によれば、ホルダ本体に加えて固定リングを有するので、固定リングをホルダ本体に保持された複数のペットボトル全体の外側から固定することにより、頭部をホルダ本体に支持されたペットボトルの下部をまとめることができ、ペットボトルを安定して保持することができる。
固定ベルトをホルダ本体と同じ板材によって形成することにより、ペットボトルの外周面を緩衝材によって部分的に保護することができ、壁などに衝突したときにペットボトルを保護することができる。
【００１８】
また、ホルダ本体と固定リングを請求項６に記載する一枚の合成樹脂板からの打ち抜き形成されたものにすれば、構成材料の無駄を防ぐことができる。
【発明を実施するための最良の形態】
【００１９】
以下、本発明を図示した実施例に基づいて詳説する。
図１は、本発明の一実施例に係るホルダの外観斜視図である。
図中符合１は、４本のペットボトルBを保持するためのホルダ本体で、発泡ポリエチレンによって略正方形の板状に形成されている。ホルダ本体１は、約８ｍｍの厚みを持ち、板面に中心から均等位置に４つの保持孔２が貫通形成されている。
【００２０】
保持孔２は、ペットボトルBの頭部b1の径よりも小さく頸部b2の径とほぼ同じ程度の径を持つ円形を成す。
これらの保持孔２は、図２に示すように、いずれもペットボトルBを保持したときに、ボトル本体外周面b3をホルダ本体１の外周端面１ａよりも外方にわずかに（同図中ｗ）突出させる位置に形成されている。
【００２１】
図中符合３は、保持孔間のホルダ本体板面の左右対称位置に形成したスリットで、吊り下げ紐４が挿通される。
吊下げ紐４は、合成繊維を織るなどして帯状に形成されている。吊下げ紐４の中央部はスリット３を通ってホルダ本体１の下面に周り込み、両端部はホルダ本体上方にて互いに密着して固着されている。
【００２２】
５は、固定バンドで、ホルダ本体１と同じ素材によって正方形の枠状に形成されている。
固定バンド５は、ホルダ本体１と同じ板材によって形成され、ホルダ本体１の外周径と同じ径の内周を持つ。固定バンド５の厚みはホルダ本体１と同じであり、幅は別段制限されるものではないが、緩衝性を発揮し得るに足る幅、例えば１ｃｍ前後に設定される。
【００２３】
固定バンド５は、ホルダ本体１と上記したような大きさの関係にあることから、図４に見られるようにホルダ本体１の外周に固定バンド５を配した形態で板材の上方から打ち抜くことにより、容易に同時に成形される。
【００２４】
次いで、このホルダの使用状態を説明する。
ホルダにペットボトルBを保持させるには、ホルダ本体１の保持孔２に下方からペットボトルBの頭部b1の一部を挿入し、ホルダ本体１の保持孔２が径方向に拡開するように若干ホルダ本体１を引っ張りながらペットボトルBを押し込む。
ペットボトルBの頭部b1が保持孔２を径方向に押し広げながらホルダ本体上面に抜け出ると、保持孔２が緩衝性に伴う復元力によってその径をほぼ元の径に復元させ、ペットボトルBの頸部b2に密着する。同時にペットボトル頭部b1の鍔部下面が保持孔上部開口周縁に支持される。
【００２５】
この結果、内部液体を含むペットボトルBの全重量は、保持孔２の上記周縁に支えられ、荷重等に伴う作用力はFは、図３の拡大図に見られるように保持孔２の径を拡開する方向には働かないので、ペットボトルBは常時安定して保持される。
【００２６】
他の３個の保持孔にも同様にしてペットボトルBの頭部b1を挿入して固定する。
そして、ホルダ本体１に保持された４本のペットボトルBに対し、その全体外周に固定バンド５をペットボトルBの上方もしくは下方から装着する。
固定バンド５の内周はホルダ本体１の外周と同じ径に形成され、ホルダ本体１に保持されたペットボトルBはホルダ本体１の外周よりも僅かに外方に突出しているので、やや拡開された固定バンド５は緩衝性に伴う復元力によってペットボトルBの外周に密着固定されることになる。
【００２７】
ペットボトルBは頭部と下部とが固定されるので、吊下げ紐４を把持して歩行した時にホルダ及びペットボトルに振り子運動が作用しても、不安定な負荷がホルダ本体にかかることはない。
【００２８】
なお、本発明においてホルダ本体の外形形状は別段制限されるものではなく、また、保持孔の数、すなわち保持されるペットボトルの数も制限されるものではない。
保持孔は、ホルダ本体の板面にバランス良く配置するのが望ましい。
【図面の簡単な説明】
【００２９】
【図１】本発明の一実施例に係るホルダの外観斜視図。
【図２】図１のホルダの使用状態を示す断面図。
【図３】図２の部分拡大断面図。
【図４】図１のホルダの平面図。
【符号の説明】
【００３０】
１      ホルダ本体
２      保持孔
４      吊り紐
５      固定リング
Ｂ      ペットボトル
【図１】
2005289474.tif 000003
【図２】
2005289474.tif 000004
【図３】
2005289474.tif 000005
【図４】
2005289474.tif 000006